(57)【要約】【課題】くさび角の変化に拘わらず適切な用紙給送を行うことのできる記録装置を提供する。【解決手段】プリンター１は、下段側トレイ４０と、この下段側トレイ４０の上部に設けられた上段側トレイ４５と、各トレイから用紙を送り出す給送ローラー９とを備えている。給送ローラー９を支持する揺動部材であるローラー支持部材１１には、光学センサー１６が設けられている。プリンター１の制御部５２は、光学センサー１６の検出情報をもとに、用紙と揺動部材１１との成す角度であるくさび角を算出し、くさび角が所定角度より大きい場合の給送ローラー９の回転速度を、前記所定角度における給送ローラー９の回転速度より低速に設定する。【選択図】図６
2016137988.tif 000002
【特許請求の範囲】
【請求項１】
媒体を収容する媒体収容部と、
前記媒体収容部に収容された媒体を前記媒体収容部から送り出す給送ローラーと、
媒体の送り出し方向と交差する方向に延びる第１の揺動軸を中心に揺動可能に設けられるとともに、前記給送ローラーを支持する揺動部材と、
前記媒体収容部に収容された媒体と前記揺動部材との成す角度を検出する為の角度検出手段と、
前記角度が所定角度より大きい場合の前記給送ローラーの回転速度を、前記所定角度における前記給送ローラーの回転速度より低速に設定する、前記給送ローラーの駆動源を制御する制御手段と、
を備えた記録装置。
【請求項２】
請求項１に記載の記録装置において、前記制御手段は、前記角度の閾値を有し、前記閾値を境にして前記回転速度を切り替える、
ことを特徴とする記録装置。
【請求項３】
請求項１または請求項２に記載の記録装置において、前記媒体収容部は、下側媒体収容部と、当該下側媒体収容部に対し上側に位置する上側媒体収容部とを備えて構成されるとともに、前記上側媒体収容部が前記下側媒体収容部に対しスライド動作可能であり、
前記上側媒体収容部のスライド動作により、前記給送ローラーによって送り出し可能な媒体収容部を選択し、
前記制御手段は、前記上側媒体収容部と前記下側媒体収容部とで、前記回転速度を切り替える、
ことを特徴とする記録装置。
【請求項４】
請求項１から請求項３のいずれか一項に記載の記録装置において、前記制御手段は、ドライバ情報により設定された媒体の種類に基づき、前記回転速度を切り替える、
ことを特徴とする記録装置。
【請求項５】
請求項３に記載の記録装置において、前記媒体収容部内の媒体の有無を検出するための媒体検出手段を前記揺動部材に備え、
前記媒体検出手段は、前記下側媒体収容部及び前記上側媒体収容部の上方に配置され、前記上側媒体収容部のスライド動作により、前記媒体検出手段と対向する媒体収容部が切り換わり、
前記媒体検出手段は、媒体に対し検出光を発する発光部と反射光を受光する受光部とを備えて成る光学センサーで構成され、
前記制御手段は、前記光学センサーにより得られた検出結果に基づいて前記角度を算出することにより、前記光学センサーを前記角度検出手段として利用する、
ことを特徴とする記録装置。
【発明の詳細な説明】
【技術分野】
【０００１】
本発明は、媒体を収容する媒体収容部と、当該媒体収容部から媒体を送り出す給送ローラーと、を備えた記録装置に関する。
【背景技術】
【０００２】
ファクシミリやプリンター等に代表される記録装置においては、用紙収容部として、装置本体に対して着脱可能な用紙カセットが設けられる場合がる。またこの様な記録装置において、用紙を用紙カセットから送り出す給送ローラーが、揺動可能なアームの一端側（アームの揺動中心から離れた側）に設けられたものがある（例えば、特許文献１参照）。
【先行技術文献】
【特許文献】
【０００３】
【特許文献１】特開２００４−１９６４６５号公報
【発明の概要】
【発明が解決しようとする課題】
【０００４】
上記の様な構成を備えた記録装置では、用紙が消費されるに連れて、用紙と給送ローラーとの接触点と、アームの揺動中心と、を結ぶラインが用紙と成す角度（以下「くさび角」と言う）が変化し、給紙条件が安定しないという問題がある。以下、この問題を図１０を参照しつつ説明する。
【０００５】
図１０は、揺動するアームに給送ローラーが支持された構成の模式図である。図１０において符号Ｅは給送ローラーを示しており、符号Ｓ１はアーム（不図示）の揺動中心を示している。給送ローラーＥは、揺動中心Ｓ１まわりに揺動することにより位置を変えることができる様になっている。また符号ｒは給送ローラーＥの回転方向を示し、符号Ｄは記録用紙の上面を示し、符号Ｓ２は給送ローラーＥと記録用紙との接触点を示している。  
更に、角度βは、揺動中心Ｓ１と接触点Ｓ２とを結ぶ線と、記録用紙とがなす角度（くさび角）を示している。
【０００６】
以上の構成において、給送ローラーＥは送り出し力Ｆを記録用紙に対して付与する為、その反力Ｆ’を記録用紙から受ける。従ってこの反力Ｆ’により、給送ローラーＥを支持するアームには揺動中心Ｓ１まわりのモーメントＭが働く。このモーメントＭは、給送ローラーＥを記録用紙に対して押し付ける押し付け力ｗを生じさせるので、例えばくさび角βが大きくなるほど、押し付け力ｗが大きくなる（以下これを「くさび効果」と言う）。
【０００７】
従って用紙カセットに収容された記録用紙が多数の場合は、くさび角βが小さくなり、即ちくさび効果が小さくなってノンフィードし易くなる。そして記録用紙が消費されるに連れ、くさび角βが大きくなり、即ちくさび効果が大きくなってダブルフィードし易くなる。
【０００８】
そこで本発明はこの様な問題に鑑み成されたものであり、その目的は、くさび角の変化に拘わらず適切な用紙給送を行うことのできる記録装置を提供することにある。  
尚、記録装置において用紙を収容する用紙収容部の呼称としては「カセット」、「トレイ」など種々のものがあるが、本明細書では「トレイ」の用語を用いることとする。
【課題を解決するための手段】
【０００９】
上記課題を解決する為の、本発明の第１の態様に係る記録装置は、媒体を収容する媒体収容部と、前記媒体収容部に収容された媒体を前記媒体収容部から送り出す給送ローラーと、媒体の送り出し方向と交差する方向に延びる第１の揺動軸を中心に揺動可能に設けられるとともに、前記給送ローラーを支持する揺動部材と、前記媒体収容部に収容された媒体と前記揺動部材との成す角度を検出する為の検出手段と、前記角度が所定角度より大きい場合の前記給送ローラーの回転速度を、前記所定角度における前記給送ローラーの回転速度より低速に設定する、前記給送ローラーの駆動源を制御する制御手段とを備えたことを特徴とする。
【００１０】
本態様によれば、給送ローラーの駆動源を制御する制御手段は、前記媒体収容部に収容された媒体と前記揺動部材との成す角度（くさび角）が所定角度より大きい場合の前記給送ローラーの回転速度を、前記所定角度における前記給送ローラーの回転速度より低速に設定する。即ち、くさび角が所定角度より大きい場合の前記給送ローラーの回転速度を、前記所定角度における前記給送ローラーの回転速度より低速にするので、くさび効果の増大に伴うダブルフィードを防止或いは低減でき、また、前記所定角度においてはくさび効果の減少に伴うノンフィードを防止或いは低減することができる。
【００１１】
本発明の第２の態様は、第１の態様において、前記制御手段は、前記角度の閾値を有し、前記閾値を境にして前記回転速度を切り替えることを特徴とする。
【００１２】
本態様によれば、前記制御手段は、前記角度の閾値を有し、前記閾値を境にして前記回転速度を切り替えるので、前記角度に応じた前記回転速度の設定に関する制御を簡易なものとすることができる。
【００１３】
本発明の第３の態様は、第１のまたは第２の態様において、前記媒体収容部は、下側媒体収容部と、当該下側媒体収容部に対し上側に位置する上側媒体収容部とを備えて構成されるとともに、前記上側媒体収容部が前記下側媒体収容部に対しスライド動作可能であり、前記上側媒体収容部のスライド動作により、前記給送ローラーによって送り出し可能な媒体収容部を選択し、前記制御手段は、前記上側媒体収容部と前記下側媒体収容部とで、前記回転速度を切り替えることを特徴とする。
【００１４】
本態様によれば、前記媒体収容部は、下側媒体収容部と、当該下側媒体収容部に対し上側に位置する上側媒体収容部とを備えて構成され、前記制御手段は、前記上側媒体収容部と前記下側媒体収容部とで、前記回転速度を切り替えるので、前記角度に応じた前記回転速度の設定に関する制御を簡易なものとすることができる。
【００１５】
本発明の第４の態様は、第１から第３の態様のいずれかにおいて、前記制御手段は、ドライバ情報により設定された媒体の種類に基づき、前記回転速度を切り替えることを特徴とする。
【００１６】
本態様によれば、前記制御手段は、ドライバ情報により設定された媒体の種類に基づき、前記回転速度を切り替えるので、より一層適切にノンフィードやダブルフィードを低減或いは防止することができる。
【００１７】
本発明の第５の態様は、第３の態様において、前記媒体収容部内の媒体の有無を検出するための媒体検出手段を前記揺動部材に備え、前記媒体検出手段は、前記下側媒体収容部及び前記上側媒体収容部の上方に配置され、前記上側媒体収容部のスライド動作により、前記媒体検出手段と対向する媒体収容部が切り換わり、前記媒体検出手段は、媒体に対し検出光を発する発光部と反射光を受光する受光部とを備えて成る光学センサーで構成され、前記制御手段は、前記光学センサーにより得られた検出結果に基づいて前記角度を算出することにより、前記光学センサーを前記角度検出手段として利用することを特徴とする。
【００１８】
本態様によれば、前記媒体収容部内の媒体の有無を検出するための媒体検出手段を前記揺動部材に備え、前記媒体検出手段は光学センサーで構成され、前記制御手段は前記光学センサーを前記角度検出手段として利用するので、前記角度検出手段としてそれ専用のセンサーを設ける必要がなく、装置のコストアップを抑制できる。
【図面の簡単な説明】
【００１９】
【図１】本発明に係るプリンターの外観斜視図。
【図２】本発明に係るプリンターの用紙搬送経路を示す側断面図。
【図３】本発明に係るプリンターの用紙搬送経路を示す側断面図。
【図４】ローラー支持部材の斜視図。
【図５】本発明に係るプリンターの制御系統の一部を示すブロック図。
【図６】上段側トレイから用紙を給送する状態の図であり（Ａ）は用紙枚数が比較的多い場合の図、（Ｂ）は用紙枚数が残り１枚の場合の図。
【図７】下段側トレイから用紙を給送する状態の図であり（Ｂ）は用紙枚数が比較的多い場合の図、（Ｂ）は用紙枚数が残り１枚の場合の図。
【図８】給送を行う際の制御内容を示すフローチャート。
【図９】角度検出手段の他の実施形態を示す図。
【図１０】揺動するアームに給送ローラーが支持された構成の模式図。
【発明を実施するための形態】
【００２０】
以下、本発明の一実施形態を図面に基づいて説明するが、本発明は、以下説明する実施形態に限定されることなく、特許請求の範囲に記載した発明の範囲内で種々の変形が可能であり、それらも本発明の範囲内に含まれるものであることを前提として、以下本発明の一実施形態を説明するものとする。
【００２１】
図１は本発明に係るプリンター１の外観斜視図、図２及び図３はプリンター１の用紙搬送経路を示す側断面図、図４はローラー支持部材１１の斜視図、図６は上段側トレイ４５から用紙を給送する状態を示す図であり、（Ａ）は用紙枚数が比較的多い場合の図、（Ｂ）は用紙枚数が残り１枚の場合の図である。また図７は下段側トレイ４０から用紙を給送する状態を示す図であり、（Ａ）は用紙枚数が比較的多い場合の図、（Ｂ）は用紙枚数が残り１枚の場合の図である。  
更に図８は給送を行う際の制御内容を示すフローチャート、図９は角度検出手段の他の実施形態を示す図である。
【００２２】
尚、各図においてｘ−ｙ−ｚ座標系は方向を示すものであり、ｚ方向は鉛直方向（装置高さ方向）、ｙ方向は用紙搬送及び排出方向（装置前後方向）、ｘ方向は用紙幅方向（装置左右方向）を示している。
【００２３】
■■■１．プリンターの全体構成■■■■■■■■■■■■■■■■■■■■■■■■
以下、図１〜図３を参照しつつ本発明の記録装置の一実施形態であるプリンター１の全体構成について概説する。プリンター１は、媒体の一例としての記録用紙にインクジェット記録を行う装置本体（記録部）２の上部にスキャナユニット３を備えており、即ちインクジェット記録機能に加えてスキャナ機能を備える複合機として構成されている。
【００２４】
スキャナユニット３は、装置本体２に対して回動可能に設けられており、回動することにより、閉じた状態（図１）と開いた状態（不図示）とをとり得る。  
スキャナユニット３において上部のカバー４は開閉可能なカバーであり、当該カバー４を開放することにより、スキャナユニット３の原稿台３ａ（図２、図３）が表れる様になっている。
【００２５】
装置前面において符号５は、電源ボタンや各種印刷設定・記録実行を行う操作ボタン、印刷設定内容や印刷画像のプレビュー表示などを行う表示部、等を備えて成る操作パネルである。
【００２６】
また、装置前面において符号４４は下段側トレイ４０に設けられた開閉可能なカバーであり、図１に示す様に当該カバー４４を開くことにより、媒体収容トレイとしての下段側トレイ４０、上段側トレイ４５、および排紙受けトレイ８、のこれらが露呈する様に構成されている。
【００２７】
排紙受けトレイ８は、図示しないモーターによって装置本体２に収納された状態（図１）と、装置本体２の前方側に突出した状態（図２、図３）と、を取りうる様に設けられており、装置本体２の前方側に突出した状態となることで、記録が行われて排出される記録用紙を受けることができる。
【００２８】
複数枚の記録用紙を収容可能な下段側トレイ４０及び上段側トレイ４５は、媒体を収容する媒体収容部であり、即ちプリンター１の媒体収容部は複数の媒体収容部により構成される。下段側トレイ４０と、その上部に設けられる上段側トレイ４５は、それぞれが独立して装置本体２に対して着脱可能となっている。また、一方側が未装着状態であっても、他方側が装着されていれば、当該装着されているトレイから記録用紙を送り出すことができる様になっている。
【００２９】
尚、上段側トレイ４５は、装置本体２に装着された状態において待避位置（図３）と突き当たり位置（給送可能位置：図２）との間を、トレイ駆動手段５５（図５）によってスライド変位する様に設けられている。例えば、上段側トレイ４５から給紙する印刷ジョブが実行されると、プリンター１の制御部５２（図５）は、上段側トレイ４５を図２に示す突き当たり位置に位置決めする。また、下段側トレイ４０から給紙する印刷ジョブが実行されると、プリンター１の制御部５２は、上段側トレイ４５を図３に示す退避位置に位置決めする。尚、トレイ駆動手段５５はモーターを含む駆動機構であるがその具体的構造についての図示は省略する。
【００３０】
プリンター１は上段側トレイ４５のスライド位置を検出するトレイ位置検出センサー５６（図５）を備えており、制御部５２は、当該トレイ位置検出センサー５６から送信させる信号情報をもとにして、上段側トレイ４５が給送可能位置及び退避位置のいずれにあるかを把握できるようになっている。但し、本実施形態において上段側トレイ４５はモーター駆動されるので、モーター駆動方向をもとしにして、モーター電流値増加によって上段側トレイ４５の突き当たり位置がいずれの側であるか（給送可能位置側、或いは退避位置側）を把握することもできる。尚、トレイ位置検出センサー５６は上段側トレイ４５の給送可能位置と退避位置のそれぞれに設けられたメカニカル式或いは光学式のセンサーであるが、その具体的構造についての図示は省略する。
【００３１】
続いて、装置本体２の後方上部において符号６は開閉可能な手差しカバーであり、この手差しカバー６を開くことにより、手差しトレイ７（図２、図３）を利用した記録用紙の手差しでの給紙が行える様になっている。
【００３２】
続いて、図２及び図３を参照しつつプリンター１の用紙搬送経路について説明する。本実施形態に係るプリンター１は、装置底部に上述の下段側トレイ４０及び上段側トレイ４５を備え、当該下段側トレイ４０或いは上段側トレイ４５から記録用紙を１枚ずつ給送する。上段側トレイ４５は、上述した様に突き当たり位置、即ち給送可能位置（図２）と、退避位置(図３）との間をスライド（変位）する。  
図２及び図３においては、下段側トレイ４０に収容される用紙を符号Ｐ１で、上段側トレイ４５に収容される用紙を符号Ｐ２で、それぞれ示している（以下、特に区別する必要がない場合は「用紙Ｐ」と言う）。
【００３３】
駆動モーター５３（図５）によって回転駆動される、給送手段を構成する給送ローラー９は、回動軸１２を中心に揺動する揺動部材としてのローラー支持部材１１に設けられており、上段側トレイ４５が退避位置にあるときは（図３）、下段側トレイ４０に収容された用紙Ｐ１の最上位のものと接して回転することにより、当該最上位の用紙Ｐ１を下段側トレイ４０から送り出す。
【００３４】
また上段側トレイ４５が突き当たり位置（給送可能位置：図２）にあるとき、給送ローラー９は上段側トレイ４５に収容された用紙Ｐ２の最上位のものと接して回転することにより、当該最上位の用紙Ｐ２を上段側トレイ４５から送り出す。
【００３５】
尚、本実施形態では回動軸１２はローラー支持部材１１の揺動軸を構成するとともに、駆動モーター５３（図５）の動力を受けて回転することで、図４に示す様に回動軸１２に設けられた伝達歯車１３から、歯車輪列１４を介し、給送ローラー９と一体に設けられた被伝達歯車１５へと動力を伝達する。即ち回動軸１２は給送ローラー９が回転するための動力を伝達すると同時に、ローラー支持部材１１が揺動する為の動力も伝達する。給送ローラー９が用紙を送り出す方向に回転する場合、ローラー支持部材１１は図２及び図３の反時計回り方向（給送ローラー９が用紙に接する方向）に揺動する。
【００３６】
尚、本実施形態では給送ローラー９は被伝達歯車１５を挟んで両側に設けられている。ローラー支持部材１１、歯車輪列１４、被伝達歯車１５、給送ローラー９、光学センサー１６（後述）、のこれらがアセンブリされ、アセンブリ体を構成している。
【００３７】
ローラー支持部材１１には、下段側トレイ４０及び上段側トレイ４５の各トレイにおける用紙の有無を検出する、媒体検出手段としての光学センサー１６が設けられている。光学センサー１６は発光部１６ａと受光部１６ｂとを備えて成り（図５）、発光部１６ａは各トレイに収容された用紙に対して検出光ｔを放射し、受光部１６ｂはこの放射光のうち各トレイの用紙又は各トレイの底面から反射した成分ｕを受光する。
【００３８】
プリンター１の制御部５２は、受光部１６ｂにおける受光強度を示す信号を光学センサー１６から受けることにより、各トレイの用紙有無を検知することができる。このため、各トレイの底面（底面４０ａ、４５ａ）において光学センサー１６と対向する部分は、反射率が用紙と大きく異なる様に、例えば黒色を成している。
【００３９】
また、光学センサー１６は、受光部１６ｂが受光した反射光を評価・演算することにより、受光部１６ｂと用紙との間の距離を算出する。この様な光学センサー１６は公知の距離センサーであり、種々の測定方式を用いることができる。例えば、光源としてはＬＥＤ、レーザダイオードなど種々のものを用いることができ、また距離の演算原理としては例えば三角測距式など、種々の方式を用いることができる。
【００４０】
そして制御部５２は、光学センサー１６と用紙との間の距離情報に基づき、ローラー支持部材１１と用紙とがなす角度（くさび角β：図６及び図７）を算出する。即ち制御部５２は、光学センサー１６を、くさび角を検出するための角度検出手段として利用する。
【００４１】
ここで図２及び図３に示す様に、光学センサー１６は、下段側トレイ４０及び上段側トレイ４５の重複した領域、即ち、下段側トレイ４０及び上段側トレイ４５が上下に重なることができる領域に設けられている。そして上段側トレイ４５のスライド動作により、下段側トレイ４０及び上段側トレイ４５のうち光学センサー１６と対向するトレイを選択可能となっている。
【００４２】
続いて装置本体２において下段側トレイ４０及び上段側トレイ４５の先端と対向する位置には、図２及び図３に示す様に分離斜面２３が設けられており、下段側トレイ４０が装着された状態では、下段側トレイ４０の先端に設けられたストッパー４１が、分離斜面２３より奥方（図３において左側）に入り込み、下段側トレイ４０に収容された用紙先端が分離斜面１６と当接可能な状態となる。
【００４３】
また上段側トレイ４５においては、当該上段側トレイ４５が給送可能位置に位置決めされた状態において、上段側トレイ４５の先端に設けられたストッパー４６が、分離斜面２３より奥方に入り込み、上段側トレイ４５に収容された用紙先端が分離斜面２３と当接可能な状態となる。
【００４４】
そして下段側トレイ４０或いは上段側トレイ４５から送り出される用紙Ｐは、その先端が分離斜面２３に接しながら下流側に進むことで、給送されるべき最上位の用紙Ｐと次位以降の用紙Ｐとの分離が行われる。  
尚、用紙給送経路において分離斜面２３の位置には用紙検出センサー３８が設けられており、この位置において下段側トレイ４０及び上段側トレイ４５から送り出される用紙Ｐの先端を検出することが可能となっている。従ってトレイが異なることに起因する給送経路長の差異や、収容された用紙枚数の多少が起因する給送経路長の差異に拘わらず、即ち条件によって異なる給送経路長に拘わらず、用紙先端位置を把握でき、これにより適切な給送制御を行える様になっている。
【００４５】
分離斜面２３の先には、図示しないモーターによって回転駆動される中間ローラー２４が設けられており、この中間ローラー２４によって用紙Ｐは湾曲反転させられ、装置前方側へと向かう。尚、符号２５Ａ、２５Ｂ、２５Ｃは従動回転可能な従動ローラーであり、少なくとも用紙Ｐは、従動ローラー２５Ａと中間ローラー２４とによってニップされ、また従動ローラー２５Ｂと中間ローラー２４とによってニップされて、下流側へと送られる。
【００４６】
中間ローラー２４の先には、図示しないモーターによって回転駆動される搬送駆動ローラー２６と、該搬送駆動ローラー２６に接して従動回転する搬送従動ローラー２７とが設けられており、これらローラーによって用紙Ｐが、記録手段を構成する記録ヘッド３０の下へと送られる。
【００４７】
続いてインクを吐出する記録ヘッド３０はキャリッジ２９の底部に設けられ、当該キャリッジ２９は図示しないモーターによって主走査方向（図２及び図３の紙面表裏方向）に往復動する様に駆動される。  
記録ヘッド３０と対向する位置には支持部材２８が設けられ、当該支持部材２８によって、用紙Ｐと記録ヘッド３０との間の間隔が規定される。そして支持部材２８の下流側には、図示しないモーターによって回転駆動される排出駆動ローラー３１と、当該排出駆動ローラー３１に接して従動回転する排出従動ローラー３２とが設けられている。記録ヘッド３０によって記録の行われた用紙Ｐは、これらローラーにより、上述した排紙受けトレイ８へ向けて排出される。
【００４８】
上述した搬送駆動ローラー２６、キャリッジ２９、記録ヘッド３０、排出駆動ローラー３１、のこれら制御対象は、図５に示す、制御部５２によって制御される記録機構部５４を構成する。
【００４９】
尚、図２及び図３において中間ローラー２４の下方には符号３３で示す案内部材が設けられている。この案内部材３３は中間ローラー２４と、搬送駆動ローラー２６との間の用紙搬送経路を形成する。また符号３４は案内部材３３と搬送駆動ローラー２６との間の用紙搬送経路を形成する案内部材である。また符号２５Ｄは、両面印刷の為に搬送駆動ローラー２６から上流側（図２及び図３において左側）にスイッチバックされる用紙を中間ローラー２４との間でニップする従動ローラーである。
【００５０】
■■■２．給送制御■■■■■■■■■■■■■■■■■■■■■■■■■■■■■■
次に、プリンター１における給送制御について図６以降を参照しつつ説明する。  
制御部５２（図５）は、用紙給送の際、図８に示す制御を行う。図８において、制御部５２が記録データを受信すると（ステップＳ１０１）、既に説明した様に光学センサー１６からの検出信号をもとに、用紙有無と、くさび角βを算出する（ステップＳ１０２）。
【００５１】
その結果、くさび角βが予め定めた閾値βｔより大きければ、給送ローラー９の回転速度をＶ１に設定し（ステップＳ１０４）、くさび角βが閾値βｔ以下であれば、給送ローラー９の回転速度をＶ２に設定する（ステップＳ１０５）。  
ここで回転速度Ｖ１、Ｖ２は、Ｖ１＜Ｖ２の関係をとる。即ち、上段側トレイ４５或いは下段側トレイ４０に収容された用紙とローラー支持部材１１との成す角度であるくさび角βが所定角度より大きい場合の給送ローラー９の回転速度を、前記所定角度における回転速度より低速に設定する。
【００５２】
換言すれば、制御部５２はくさび角βが所定角度より大きい場合の給送ローラー９の回転速度を、前記所定角度における給送ローラー９の回転速度より低速にする。従ってこれにより、くさび効果の増大に伴うダブルフィードを防止或いは低減でき、また、前記所定角度においてはくさび効果の減少に伴うノンフィードを防止或いは低減することができる。
【００５３】
以下、図６及び図７を参照しつつ更に説明する。図６（Ａ）、（Ｂ）は上段側トレイ４５から用紙を給送する際の状態を示しており、図６（Ａ）に示す、比較的用紙収容量が多い場合のくさび角はβ４で示されている。また、図６（Ｂ）に示す、用紙が１枚のみ収容の場合のくさび角はβ３で示されている。図から明かな通り、くさび角β３＞β４となる。
【００５４】
また、図７（Ａ）、（Ｂ）は上段側トレイ４５から用紙を給送する際の状態を示しており、図７（Ａ）に示す、比較的用紙収容量が多い場合のくさび角はβ２で示されている。また、図７（Ｂ）に示す、用紙が１枚のみ収容の場合のくさび角はβ１で示されている。図から明かな通り、くさび角β１＞β２となる。
【００５５】
本実施形態では、閾値βｔとの関係では、くさび角β１＞β２＞βｔ＞β３＞β４、の関係となる。即ち、閾値βｔは、上段側トレイ４５から用紙を給送する際のくさび角の範囲と、下段側トレイ４０から用紙を給送する際のくさび角の範囲に設定されている。  
この様に閾値βｔを１つに設定することで、制御が容易となる。但し、本発明はこれに限定されるものではなく、閾値βｔを複数設け、即ちくさび角βをより細分化して、それぞれのくさび角において給送ローラー９の回転速度を設定しても良い。更に、くさび角βに基づいて給送ローラー９の回転速度を求める計算式を設定し、当該計算式に基づいて給送ローラー９の回転速度を設定しても良い。
【００５６】
また、上記実施形態では角度検出手段としての光学センサー１６の検出値をもとにして制御部５２がくさび角βを算出し、その結果得られたくさび角βに基づいて給送ローラー９の回転速度を設定したが、上段側トレイ４５の位置を検出するトレイ位置検出センサー５６の検出値をもとに給送ローラー９の回転速度を設定しても良い。具体的には、トレイ位置検出センサー５６の検出値により、上段側トレイ４５が給送可能位置（図２）に位置する場合には、給送ローラー９の回転速度を図８のＶ２に設定する。或いは上段側トレイ４５が退避能位置（図３）に位置する場合には、給送ローラー９の回転速度を図８のＶ１に設定する。Ｖ１とＶ２の関係は、上述の通りＶ１＜ｖ２となる。この様な実施形態の場合、トレイ位置検出センサー５６が、角度検出手段を構成することとなる。
【００５７】
また例えば、制御部５２が、ドライバ情報により設定された用紙種類に基づき、給送ローラー９の回転速度を切り替えるようにしても良い。例えば、くさび角βが同じであっても、用紙が光沢紙のように用紙間の摩擦係数が大きい場合（普通紙に比べて相対的に大きい場合）には、給送ローラー９の回転速度を低めに設定する。これにより、より一層適切にノンフィードやダブルフィードを低減或いは防止することができる。
【００５８】
また例えば、用紙給送経路において分離斜面２３の位置には用紙検出センサー３８が設けられているので、給送ローラー９を所定量回転させても用紙検出センサー３８が用紙の通過を検出しない場合、即ちノンフィードが生じる場合には、くさび角に拘わらず全体的に給送ローラー９の回転速度を向上させても良い。また、ノンフィードが生じる場合には、くさび角の閾値βｔを調整し、例えば閾値βｔを下げることで、くさび角が大きくても給送ローラー９の回転速度が高速になるように構成しても良い。
【００５９】
また上記実施形態では、用紙有無を検出する為の光学センサー１６を、くさび角を検出する為の角度検出手段として利用したが、専用の角度検出手段を設けても良い。図９はそのような実施形態を示すものであり、図９において符号１８はロータリーエンコーダーである。符号１８ａは、回動軸１２と同軸に設けられたロータリースケールであり、符号１８ｂは、ロータリースケール１８ａを読み取る検出部である。ロータリースケール１８ａは円周方向に沿って多数の遮光部と透光部とが交互に形成されて成る検出パターンを備えており、検出部１８ｂは、前記検出パターンに対して発光する発光部と、透過光を受光する受光部とを備えている。制御部５２は、ロータリーエンコーダー１８からの検出信号をもとに、くさび角βを算出する。
【００６０】
また、上記実施形態では光学センサー１６はローラー支持部材１１に設けたが、上段側トレイ４５及び下段側トレイ４０に対して対向可能な位置であればその他の位置であっても良い。例えば、案内部材３３（図２）、や仕切部材３５（図２）に設けても良い。
【符号の説明】
【００６１】
１  インクジェットプリンター、２  記録部（装置本体）、３  スキャナユニット、４  原稿カバー、５  操作パネル、６  手差しカバー、７  手差しトレイ、８  排紙受けトレイ、９  給送ローラー、１１  ローラー支持部材、１２  回動軸、１３  伝達歯車、１４  歯車輪列、１５  被伝達歯車、１６  光学センサー、１６ａ  発光部、１６ｂ  受光部、１８  ロータリーエンコーダー、１８ａ  ロータリースケール、１８ｂ  検出部、２３  分離斜面、２４  中間ローラー、２５Ａ〜２５Ｄ  従動ローラー、２６  搬送駆動ローラー、２７  搬送従動ローラー、２８  支持部材、２９  キャリッジ、３０  記録ヘッド、３１  排出駆動ローラー、３２  排出従動ローラー、３３  案内部材、３４  案内部材、３５  仕切板、４０  下段側トレイ、４０ａ  底面、４１  ストッパー、４４  カバー、４５  上段側トレイ、４５ａ  底面、４６  ストッパー、５２  制御部、５３  駆動モーター、５４  記録機構部、５５  トレイ駆動手段、５６  トレイ位置検出センサー、Ｐ、Ｐ１、Ｐ２  記録用紙
【図１】
2016137988.tif 000003
【図２】
2016137988.tif 000004
【図３】
2016137988.tif 000005
【図４】
2016137988.tif 000006
【図５】
2016137988.tif 000007
【図６】
2016137988.tif 000008
【図７】
2016137988.tif 000009
【図８】
2016137988.tif 000010
【図９】
2016137988.tif 000011
【図１０】
2016137988.tif 000012